(57)【要約】【課題】被空調室内が冷え過ぎたときに、消費するエネルギーを抑えつつ、被空調室内に供給される除湿された空気の温度を高くすことができる空気調和装置を提供する。【解決手段】空気調和装置１は、外部の空気を搬送する第１送風路１１と、第１送風路が接続された空調機１６と、空調機内に配置された冷却器１７と、冷却器に空気を流す送風部１８と、空調機及び被空調室１０１にそれぞれ接続され、冷却器で冷却された空気を被空調室内に供給する第２送風路２１と、被空調室及び空調機にそれぞれ接続され、被空調室内の空気を空調機内に搬送する第３送風路２２と、第１送風路により搬送される空気と、第２送風路により搬送される空気と、の間で顕熱交換を行う顕熱交換器３６と、を備える。【選択図】図１
2020034174.tif 000002
【特許請求の範囲】
【請求項１】
外部の空気を搬送する第１送風路と、
前記第１送風路が接続された空調機と、
前記空調機内に配置された冷却器と、
前記冷却器に空気を流す送風部と、
前記空調機及び被空調室にそれぞれ接続され、前記冷却器で冷却された空気を前記被空調室内に供給する第２送風路と、
前記被空調室及び空調機にそれぞれ接続され、前記被空調室内の空気を前記空調機内に搬送する第３送風路と、
前記第１送風路により搬送される空気と、前記第２送風路により搬送される空気と、の間で顕熱交換を行う顕熱交換器と、
を備える空気調和装置。
【請求項２】
両端部が前記第１送風路にそれぞれ接続された第４送風路と、
前記第１送風路と前記第４送風路との第１分岐点において、前記第１送風路及び前記第４送風路のそれぞれに搬送させる空気の比率を調節する第１調節部と、
を備え、
前記顕熱交換器は、前記第１送風路のうち、前記第１分岐点と、前記第１送風路と前記第４送風路との合流点と、の間の部分により搬送される空気と、前記第２送風路により搬送される空気と、の間で顕熱交換を行う請求項１に記載の空気調和装置。
【請求項３】
両端部が前記第２送風路にそれぞれ接続された第５送風路と、
前記第２送風路と前記第５送風路との第２分岐点において、前記第２送風路及び前記第５送風路のそれぞれに搬送させる空気の比率を調節する第２調節部と、
を備え、
前記顕熱交換器は、前記第１送風路により搬送される空気と、前記第２送風路のうち、前記第２分岐点と、前記第２送風路と前記第５送風路との合流点と、の間の部分により搬送される空気と、の間で顕熱交換を行う請求項１又は２に記載の空気調和装置。
【請求項４】
両端部が前記第２送風路にそれぞれ接続された第５送風路と、
前記第２送風路と前記第５送風路との第２分岐点において、前記第２送風路及び前記第５送風路のそれぞれに搬送させる空気の比率を調節する第２調節部と、
前記第１調節部及び前記第２調節部を制御する制御部と、
を備え、
前記顕熱交換器は、前記第１送風路により搬送される空気と、前記第２送風路のうち、前記第２分岐点と、前記第２送風路と前記第５送風路との合流点と、の間の部分により搬送される空気と、の間で顕熱交換を行い、
前記制御部は、前記第１調節部により前記第１分岐点において前記第１送風路に全ての空気を搬送させた状態で、前記第２調節部により、前記第２分岐点において、前記第２送風路及び前記第５送風路のそれぞれに搬送させる空気の比率を調節する請求項２に記載の空気調和装置。
【請求項５】
前記第２送風路に設けられ、前記被空調室内に供給する空気の流量を調節する第３調節部を備える請求項１から４のいずれか一項に記載の空気調和装置。
【発明の詳細な説明】
【技術分野】
【０００１】
本発明は、空気調和装置に関する。
【背景技術】
【０００２】
インドネシアやシンガポール等の蒸暑地域では、オフィス等の建築物に、例えば特許文献１及び２に開示された空気調和装置が設置されている。この空気調和装置は、年間を通して冷房運転されており、空気調和装置に温熱源は設置されていない。また、一般的に、蒸暑地域では空気調和装置は除湿優先で制御されているため、冷却コイル部で過冷却除湿を行っている。これは、空気調和装置の制御において温度を優先すると、十分な除湿ができないためである。
【先行技術文献】
【特許文献】
【０００３】
【特許文献１】特開２００７−２８５５９３号公報
【特許文献２】特開２０１０−０３２１２１号公報
【発明の概要】
【発明が解決しようとする課題】
【０００４】
一般的に、空気調和装置において、被空調室内から戻した空気と、外部の空気と、が混合される。そして、被空調室内の設定湿度を満足するように、混合された空気が冷却器により除湿される。除湿された空気が、被空調室内に供給される。被空調室内の設定温度を満足した場合には、空気調和装置がＶＡＶ（Variable Air Valve、可変空気バルブ）により供給風量を減らすように構成されている場合がある。
【０００５】
曇天や雨天時等の外部負荷が少ないときに空気調和装置で除湿を行うと、被空調室内に供給される空気の温度（吹出し温度）が低くなり、被空調室内が冷え過ぎるという問題がある。
しかしながら蒸暑地域等では、温熱源が設置されていないため、吹出し温度を高くすることができない。このため、吹出し温度と被空調室内の空気の温度との差が大きいままなので、被空調室内の使用者が感じる寒さは改善されない。
また、被空調室内に供給される空気の温度を高くする際には、消費するエネルギーが低いことが望まれている。
【０００６】
本発明は、このような問題点に鑑みてなされたものであって、被空調室内が冷え過ぎたときに、消費するエネルギーを抑えつつ、被空調室内に供給される除湿された空気の温度を高くすることができる空気調和装置を提供することを目的とする。
【課題を解決するための手段】
【０００７】
上記課題を解決するために、この発明は以下の手段を提案している。
本発明の空気調和装置は、外部の空気を搬送する第１送風路と、前記第１送風路が接続された空調機と、前記空調機内に配置された冷却器と、前記冷却器に空気を流す送風部と、前記空調機及び被空調室にそれぞれ接続され、前記冷却器で冷却された空気を前記被空調室内に搬送する第２送風路と、前記被空調室及び空調機にそれぞれ接続され、前記被空調室内の空気を前記空調機内に搬送する第３送風路と、前記第１送風路により搬送される空気と、前記第２送風路により搬送される空気と、の間で顕熱交換を行う顕熱交換器と、を備えることを特徴としている。
【０００８】
この発明によれば、空調機内に配置された冷却器に対して、第１送風路及び第３送風路を通して搬送された空気を送風部により流すことで、空調機内の空気が冷却及び除湿される。冷却及び除湿された空気は、第２送風路により搬送されるが、この際に、顕熱交換器により、第２送風路で搬送される空気と、第１送風路で搬送される外部の空気と、が顕熱交換を行う。このため、被空調室内が冷え過ぎたときに、第２送風路を通して被空調室内に供給される除湿された空気の温度を高めることができる。
この際に、除湿された空気は外部の空気により加熱されるため、空気を加熱するための新たな温熱源を設ける必要がなく、空気調和装置が消費するエネルギーを抑えることができる。
【０００９】
また、上記の空気調和装置において、両端部が前記第１送風路にそれぞれ接続された第４送風路と、前記第１送風路と前記第４送風路との第１分岐点において、前記第１送風路及び前記第４送風路のそれぞれに搬送させる空気の比率を調節する第１調節部と、を備え、前記顕熱交換器は、前記第１送風路のうち、前記第１分岐点と、前記第１送風路と前記第４送風路との合流点と、の間の部分により搬送される空気と、前記第２送風路により搬送させる空気と、の間で顕熱交換を行ってもよい。
この発明によれば、第１調節部により、第１分岐点において、第１送風路及び第４送風路のそれぞれに搬送される空気の比率が調節されることにより、顕熱交換器で顕熱交換が行われる第１送風路により搬送される空気の量が調節される。このため、第１送風路で搬送される空気と第２送風路で搬送される空気とが顕熱交換する熱量を調節することができる。
【００１０】
また、上記の空気調和装置において、両端部が前記第２送風路にそれぞれ接続された第５送風路と、前記第２送風路と前記第５送風路との第２分岐点において、前記第２送風路及び前記第５送風路のそれぞれに搬送させる空気の比率を調節する第２調節部と、を備え、前記顕熱交換器は、前記第１送風路により搬送される空気と、前記第２送風路のうち、前記第２分岐点と、前記第２送風路と前記第５送風路との合流点と、の間の部分により搬送される空気と、の間で顕熱交換を行ってもよい。
この発明によれば、第２調節部により、第２分岐点において、第２送風路及び第５送風路のそれぞれに搬送される空気の比率が調節されることにより、顕熱交換器で顕熱交換が行われる第２送風路により搬送される空気の量が調節される。これにより、第１送風路で搬送される空気と第２送風路で搬送される空気とが顕熱交換する熱量を調節することができる。
【００１１】
また、上記の空気調和装置において、両端部が前記第２送風路にそれぞれ接続された第５送風路と、前記第２送風路と前記第５送風路との第２分岐点において、前記第２送風路及び前記第５送風路のそれぞれに搬送させる空気の比率を調節する第２調節部と、前記第１調節部及び前記第２調節部を制御する制御部と、を備え、前記顕熱交換器は、前記第１送風路により搬送される空気と、前記第２送風路のうち、前記第２分岐点と、前記第２送風路と前記第５送風路との合流点と、の間の部分により搬送される空気と、の間で顕熱交換を行い、前記制御部は、前記第１調節部により前記第１分岐点において前記第１送風路に全ての空気を搬送させた状態で、前記第２調節部により、前記第２分岐点において、前記第２送風路及び前記第５送風路のそれぞれに搬送させる空気の比率を調節してもよい。
この発明によれば、例えば、被空調室内の二酸化炭素ガスの濃度に基づいて、被空調室内に供給する外部の空気の量を制御している場合等には、第１送風路により搬送される外部の空気の流量が変動すると、第２調節部により、第２分岐点において、第２送風路及び第５送風路のそれぞれに搬送させる空気の比率を調節するのが困難になる。
第１調節部により第１分岐点において第１送風路に全ての空気を搬送させることにより、被空調室内に供給される空気の温度制御の精度を向上させることができる。
【００１２】
また、上記の空気調和装置において、前記第２送風路に設けられ、前記被空調室内に供給する空気の流量を調節する第３調節部を備えてもよい。
この発明によれば、第３調節部により被空調室内を冷却及び除湿する空気の流量を調節することができる。
【発明の効果】
【００１３】
本発明の空気調和装置によれば、被空調室内が冷え過ぎたときに、消費するエネルギーを抑えつつ、被空調室内に供給される除湿された空気の温度を高くすことができる。
【図面の簡単な説明】
【００１４】
【図１】本発明の一実施形態の空気調和装置の概略構成を示す図である。
【図２】同空気調和装置の動作状態を説明する湿り空気線図である。
【発明を実施するための形態】
【００１５】
以下、本発明に係る空気調和装置の一実施形態を、図１及び図２を参照しながら説明する。
図１に示すように、本実施形態の空気調和装置１は、第１送風路１１と、空調機１６と、冷却器１７と、送風ファン（送風部）１８と、第２送風路２１と、第３送風路２２と、第４送風路２６と、第１調節部２７と、第５送風路３１と、第２調節部３２と、顕熱交換器３６と、第３調節部３７と、温度センサ３８と、制御部４１と、メモリ４２と、を備えている。
【００１６】
第１送風路１１は、ダクト等で構成されている。第１送風路１１は、空気調和装置１の外部の空気を取込み、自身の内部で搬送する。
この例では、空調機１６は、所定の方向（以下、長手方向と言う）に長い直方体状に形成されている。前述の第１送風路１１は、空調機１６における長手方向の第１端部に接続されている。
冷却器１７は、例えば冷却コイルである。冷却器１７には、図示しない冷凍回路が接続されている。冷凍回路から供給される冷水等の冷媒が冷却器１７内を流れることにより、冷却器１７が冷却される。冷却器１７は、空調機１６内に配置されている。
【００１７】
送風ファン１８は、空調機１６内に配置されている。送風ファン１８は、冷却器１７よりも、空調機１６における長手方向の第２端部側に配置されている。送風ファン１８は、冷却器１７に空気を流す。送風ファン１８は、インバータ等を用いて空気の流量が可変であるファンであることが好ましい。送風ファン１８及び前述の冷凍回路は、制御部４１に電気的に接続されている。
空調機１６内には、冷却器１７よりも長手方向の第１端部側にプレフィルタ１９及び中性能フィルタ２０が配置されていることが好ましい。プレフィルタ１９は、比較的粗大な粉塵を除去するためのフィルタである。中性能フィルタ２０は、比較的微細な粉塵を除去するためのフィルタである。中性能フィルタ２０は、プレフィルタ１９よりも長手方向の第２端部側に配置されている。
【００１８】
第２送風路２１は、空調機１６における長手方向の第２端部、及び被空調室１０１にそれぞれ接続されている。第２送風路２１は、冷却器１７で冷却された空気を被空調室１０１内に供給する。
第３送風路２２は、被空調室１０１、及び空調機１６の第１端部にそれぞれ接続されている。第３送風路２２は、被空調室１０１内の空気を空調機１６内に搬送する。
【００１９】
第４送風路２６は、両端部が第１送風路１１にそれぞれ接続されている。
第１調節部２７は、ＭＤ（Motor Damper、モータダンパ）２８と、ＭＤ２９と、を備えている。
ＭＤ２８は、第１送風路１１のうち、第１送風路１１と第４送風路２６との第１分岐点１１ａと、第１送風路１１と第４送風路２６との合流点と、の間の分岐部分（部分）１１ｂに設けられている。例えば、ＭＤ２８は、分岐部分１１ｂ内を空気が搬送されない閉じた状態（閉状態）から、分岐部分１１ｂ内を空気が搬送されるＭＤ２８が完全に開いた状態（開状態）まで、連続的に開度を変化させることができる。
ＭＤ２９は、ＭＤ２８と同様に構成され、第４送風路２６に設けられている。
【００２０】
第１調節部２７は、第１分岐点１１ａにおいて、第１送風路１１の分岐部分１１ｂ及び第４送風路２６のそれぞれに搬送させる空気の比率を調節する。
例えば、第１送風路１１における分岐部分１１ｂよりも、第１送風路１１内を空気が搬送される搬送方向の上流側の上流部分１１ｃによって搬送される空気の比率を１（１００％）とする。このとき、ＭＤ２８を開状態にし、ＭＤ２９を閉状態にすることにより、分岐部分１１ｂにより搬送される空気の比率が１（１００％）となり、第４送風路２６により搬送される空気の比率が０（０％）となる。
【００２１】
ＭＤ２８を閉状態にし、ＭＤ２９を開状態にすることにより、分岐部分１１ｂにより搬送される空気の比率が０（０％）となり、第４送風路２６により搬送される空気の比率が１（１００％）となる。
また、ＭＤ２８の開度及びＭＤ２９の開度を互いに同程度にすることにより、分岐部分１１ｂにより搬送される空気の比率が０．５（５０％）となり、第４送風路２６により搬送される空気の比率が０．５（５０％）となる。
なお、第４送風路２６により搬送された空気は、第１送風路１１における分岐部分１１ｂよりも下流側の下流部分１１ｄに流れ込む。
【００２２】
第５送風路３１は、両端部が第２送風路２１にそれぞれ接続されている。第５送風路３１、及び前述の第２送風路２１、第３送風路２２、第４送風路２６は、第１送風路１１と同様にダクト等で構成されている。
第２調節部３２は、ＭＤ３３と、ＭＤ３４と、を備えている。
ＭＤ３３は、第２送風路２１のうち、第２送風路２１と第５送風路３１との第２分岐点２１ａと、第２送風路２１と第５送風路３１との合流点と、の間の分岐部分（部分）２１ｂに設けられている。ＭＤ３４は、第５送風路３１に設けられている。ＭＤ３３，３４は、ＭＤ２８と同様に構成されている。
第２調節部３２は、第２分岐点２１ａにおいて、第２送風路２１の分岐部分２１ｂ及び第５送風路３１のそれぞれに搬送させる空気の比率を調節する。分岐部分２１ｂ及び第５送風路３１により搬送される空気の比率の具体例は、第１調節部２７の分岐部分１１ｂ及び第４送風路２６と同様である。
【００２３】
ＭＤ３３，３４、及び前述のＭＤ２８，２９は、制御部４１にそれぞれ電気的に接続されている。ＭＤ２８，２９，３３，３４は、制御部４１から送信される操作信号に基づいて動作する。
なお、第５送風路３１により搬送された空気は、第２送風路２１における分岐部分２１ｂよりも下流側の下流部分２１ｄに流れ込む。
【００２４】
顕熱交換器３６は、熱媒体間で水分の受け渡しをしないで、熱交換のみを行う顕熱交換を行う装置である。顕熱交換器３６は、第１送風路１１の分岐部分１１ｂ、及び第２送風路２１の分岐部分２１ｂにそれぞれ設けられている。顕熱交換器３６は、分岐部分１１ｂにおけるＭＤ２８よりも下流側の部分に設けられている。顕熱交換器３６は、分岐部分２１ｂにおけるＭＤ３３よりも下流側の部分に設けられている。
顕熱交換器３６は、第１送風路１１の分岐部分１１ｂにより搬送される空気と、第２送風路２１の分岐部分２１ｂにより搬送される空気と、の間で顕熱交換を行う。
顕熱交換器３６を用いることにより、後述するように冷却器１７により除湿され第２送風路２１により搬送される空気に、第１送風路１１により搬送される空気から水分が受け渡されるのが防止される。
【００２５】
第３調節部３７は、例えばＶＡＶである。第３調節部３７は、第２送風路２１の下流部分２１ｄに設けられている。言い換えると、第３調節部３７は、第２送風路２１のうち、第５送風路３１が接続された部分と被空調室１０１に接続された部分との間に設けられている。第３調節部３７は、被空調室１０１内に供給する空気の流量を調節する。例えば、第３調節部３７は、下流部分２１ｄに対して閉状態から開状態まで、連続的に開度を変化させることができる。
【００２６】
温度センサ３８は、被空調室１０１内に取付けられている。温度センサ３８は、被空調室１０１内の空気の温度を検出する。温度センサ３８は、制御部４１に電気的に接続されている。温度センサ３８は、検出結果を定期的に制御部４１に送信する。
なお、空気調和装置１が、被空調室１０１内に取付けられた二酸化炭素ガスセンサを備えてもよい。二酸化炭素ガスセンサは、被空調室１０１内の二酸化炭素ガスの濃度を検出する。二酸化炭素ガスセンサは、検出結果を定期的に制御部４１に送信する。
【００２７】
制御部４１は、ＣＰＵ（Central Processing Unit）等で構成されている。制御部４１は、温度センサ３８の検出結果等に基づいて、送風ファン１８、冷凍回路、第１調節部２７、第２調節部３２、及び第３調節部３７を制御する。
メモリ４２は、ＲＯＭ（Read Only Memory）及びＲＡＭ（Random Access Memory）を備えている。メモリには、演算回路を制御するための制御プログラム、予め定められた温度の下限閾値、上限閾値等が記憶されている。下限閾値は、上限閾値よりも低い温度である。
【００２８】
次に、以上のように構成された空気調和装置１の動作について説明する。
使用者は、制御部４１を操作し、送風ファン１８及び冷凍回路を駆動する。冷凍回路から供給される冷媒により、冷却器１７が冷却される。送風ファン１８により冷却器１７に空気が流れ、冷却器１７により空気が冷却される。
制御部４１は、メモリ４２から、制御プログラム、温度の下限閾値等を読み込む。温度センサ３８は、被空調室１０１内の温度の検出結果を定期的に制御部４１に送信する。
例えば、温度センサ３８から送信された温度が、下限閾値よりも低い（被空調室１０１内が冷え過ぎている）とする。
制御部４１は、例えば、ＭＤ２８，３３及び第３調節部３７を開状態にし、ＭＤ２９，３４を閉状態にする。
【００２９】
図２は、空気調和装置１の動作状態を説明する湿り空気線図である。図２の横軸は乾球温度（℃）を表し、縦軸は空気の絶対湿度（ｇ／ｋｇ（ＤＡ））を表す。なお、図２中には、空気の相対湿度（％）、及びエンタルピー（ｋＪ／ｋｇ）の軸も示している。
空気調和装置１の外部の空気は、例えば状態Ｃ１である。なお、状態Ｃ１等の空気が存在する位置を、図１中に同じ符合で示す。後述する状態Ｃ２等についても同様である。
送風ファン１８により吸引され、空気調和装置１の外部から取込まれた空気は、第１送風路１１の上流部分１１ｃ、分岐部分１１ｂ、及び下流部分１１ｄにより搬送される。この際に、外部から取込まれた空気は、顕熱交換器３６内を通過する。空気は、顕熱交換器３６内で絶対湿度がほぼ一定のままで、後述する状態Ｃ５の空気により顕熱交換で冷却されて相対湿度が高くなり、状態Ｃ２の空気になる。
なお、被空調室１０１内の空気は、状態Ｃ２の空気よりも乾球温度及び絶対湿度がそれぞれ低い状態Ｃ７の空気である。
【００３０】
空調機１６の第１端部内では、外部からの空気は、第３送風路２２により被空調室１０１内から搬送された状態Ｃ７の空気と合流して、状態Ｃ３の空気になる。
状態Ｃ３の空気は、プレフィルタ１９及び中性能フィルタ２０で粉塵が除去される。この空気は、さらに冷却器１７により冷却されて、状態Ｃ４の空気になる。状態Ｃ３の空気中の水蒸気が冷却器１７で凝縮して除湿されて状態Ｃ４の空気になるため、状態Ｃ４の空気の絶対湿度は、状態Ｃ３の空気の絶対湿度よりも低くなる。
状態Ｃ４の空気は、送風ファン１８により下流側に搬送され、絶対湿度がほぼ一定のまま乾球温度が高くなって、状態Ｃ５の空気になる。
状態Ｃ５の空気は、第２送風路２１の上流部分２１ｃ、分岐部分２１ｂ、及び下流部分２１ｄにより搬送される。この際に、状態Ｃ５の空気は顕熱交換器３６内を通過する。状態Ｃ５の空気は、顕熱交換器３６内で絶対湿度がほぼ一定のままで状態Ｃ１の空気により顕熱交換で加熱されて相対湿度が低くなり、状態Ｃ６の空気になる。
【００３１】
状態Ｃ６の空気は、被空調室１０１内に流れ込んで、絶対湿度がほぼ一定のままで乾球温度が高くなり、状態Ｃ７の空気になる。この例では、被空調室１０１内の状態Ｃ７の空気の温度と被空調室１０１内に流れ込む状態Ｃ６の空気の温度（吹出し温度）との温度差は、ΔＴになる。
顕熱交換器３６内で状態Ｃ５の空気が加熱されるため、顕熱交換器３６を備えない従来の空気調和装置に比べて、温度差ΔＴは小さくなる。顕熱交換器３６内で状態Ｃ５の空気が加熱されるため、被空調室１０１内の状態Ｃ７の空気の乾球温度が高くなり、温度センサ３８から検出する温度が高くなる。
被空調室１０１内の状態Ｃ７の空気は、第３送風路２２により空調機１６内に搬送される。
【００３２】
なお、制御部４１は、温度センサ３８から送信された温度が上限閾値よりも高い（被空調室１０１内が冷え過ぎていない）ことを検出したときに、ＭＤ２８，３３を閉状態にし、ＭＤ２９，３４を開状態にしたり、第３調節部３７の開度を調節して、第２送風路２１の下流部分２１ｄにより搬送される空気の流量を低下させたりしてもよい。
【００３３】
以上説明したように、本実施形態の空気調和装置１によれば、空調機１６内に配置された冷却器１７に対して、第１送風路１１及び第３送風路２２を通して搬送された空気を送風ファン１８により流すことで、空調機１６内の空気が冷却及び除湿される。冷却及び除湿された空気は、第２送風路２１により搬送されるが、この際に、顕熱交換器３６により、第２送風路２１で搬送される空気と、第１送風路１１で搬送される外部の空気と、が顕熱交換を行う。このため、被空調室１０１内が冷え過ぎたときに、第２送風路２１を通して被空調室１０１内に供給される除湿された空気の温度を高くすことができる。これにより、被空調室１０１内の執務者の寒さに対する不満を解消するとができる。
【００３４】
この際に、除湿された空気は外部の空気により加熱されるため、空気を加熱するための新たな温熱源を設ける必要がなく、空気調和装置１が消費するエネルギーを抑えることができる。そして、空気調和装置１の製造コストを低減させることができる。
外部の空気は、状態Ｃ５の空気により顕熱交換で冷却されるため、空気調和装置１に冷熱源を追加する必要なく、空気調和装置１が消費するエネルギーを低減させることができる。
【００３５】
空気調和装置１が、第４送風路２６と、第１調節部２７とを備える。第１調節部２７により、第１分岐点１１ａにおいて、第１送風路１１の分岐部分１１ｂ及び第４送風路２６のそれぞれに搬送される空気の比率が調節されることにより、顕熱交換器３６で顕熱交換が行われる第１送風路１１により搬送される空気の量が調節される。このため、第１送風路１１で搬送される空気と第２送風路２１で搬送される空気とが顕熱交換する熱量を調節することができる。
空気調和装置１が、第５送風路３１と、第２調節部３２とを備える。第２調節部３２により、第２分岐点２１ａにおいて、第２送風路２１の分岐部分２１ｂ及び第５送風路３１のそれぞれに搬送される空気の比率が調節されることにより、顕熱交換器３６で顕熱交換が行われる第２送風路２１により搬送される空気の量が調節される。これにより、第１送風路１１で搬送される空気と第２送風路２１で搬送される空気との間で顕熱交換する熱量を調節することができる。
【００３６】
このように、本実施形態の空気調和装置１では、第４送風路２６及び第１調節部２７、第５送風路３１及び第２調節部３２のいずれによっても、顕熱交換器３６において第１送風路１１で搬送される空気と第２送風路２１で搬送される空気とが顕熱交換する熱量を調節することができる。
【００３７】
空気調和装置１が、第３調節部３７を備えている。従って、被空調室１０１内を冷却及び除湿する空気の流量を調節することができる。
【００３８】
なお、制御部４１は、第１調節部２７により第１分岐点１１ａにおいて第１送風路１１に全ての空気を搬送させた状態で、第２調節部３２により、第２分岐点２１ａにおいて、第２送風路２１及び第５送風路３１のそれぞれに搬送させる空気の比率を調節して、被空調室１０１内の空気の温度を所定の温度に調節してもよい。第１調節部２７により第１分岐点１１ａにおいて第１送風路１１に全ての空気を搬送させるには、ＭＤ２８を開状態にし、ＭＤ２９を閉状態にする。
例えば、空気調和装置１が前述の二酸化炭素ガスセンサを備えて、被空調室１０１内の二酸化炭素ガスの濃度に基づいて、被空調室１０１内に供給する外部の空気の量を制御している場合等には、第１送風路１１により搬送される外部の空気の流量が変動すると、第２調節部３２により、第２分岐点２１ａにおいて、第２送風路２１及び第５送風路３１のそれぞれに搬送させる空気の比率を調節するのが困難になる。
第１調節部２７により第１分岐点１１ａにおいて第１送風路１１に全ての空気を搬送させることにより、被空調室１０１内に供給される空気の温度制御の精度を向上させることができる。
【００３９】
また、制御部４１は、第２調節部３２により第２分岐点２１ａにおいて第２送風路２１に全ての空気を搬送させた状態で、第１調節部２７により、第１分岐点１１ａにおいて、第１送風路１１及び第４送風路２６のそれぞれに搬送させる空気の比率を調節して、被空調室１０１内の空気の温度を所定の温度に調節してもよい。第２調節部３２により第２分岐点２１ａにおいて第２送風路２１に全ての空気を搬送させるには、ＭＤ３３を開状態にし、ＭＤ３４を閉状態にする。
空気調和装置１の外部の空気は、一日の中で温度変化するため、外部の空気の温度が高くなるのに従い、第１送風路１１により搬送される外部の空気の流量を減らすように制御することにより、被空調室１０１内に供給される空気の温度の制御性を向上させることができる。
【００４０】
なお、制御部４１は、第１調節部２７により、第１分岐点１１ａにおいて、第１送風路１１及び第４送風路２６のそれぞれに搬送させる空気の比率を調節するとともに、第２調節部３２により、第２分岐点２１ａにおいて、第２送風路２１及び第５送風路３１のそれぞれに搬送させる空気の比率を調節してもよい。
【００４１】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、空気調和装置１は第４送風路２６、第１調節部２７、第５送風路３１、第２調節部３２、第３調節部３７、温度センサ３８、制御部４１、及びメモリ４２を備えなくてもよい。
【符号の説明】
【００４２】
１    空気調和装置
１１  第１送風路
１１ａ  第１分岐点
１１ｂ，２１ｂ  分岐部分（部分）
１６  空調機
１７  冷却器
１８  送風ファン（送風部）
２１  第２送風路
２１ａ  第２分岐点
２２  第３送風路
２６  第４送風路
２７  第１調節部
３１  第５送風路
３２  第２調節部
３６  顕熱交換器
３７  第３調節部
１０１  被空調室
【図１】
2020034174.tif 000003
【図２】
2020034174.tif 000004